(57)【特許請求の範囲】
【請求項１】
複数のテレビ番組の映像情報を、これらのテレビ番組を放送するチャンネルとこれらのチャンネルに固有に付与されるSourceＩＤとの対応関係を示すＶＣＴ（Virtual Channel Table）情報、及び前記テレビ番組毎の番組情報と前記SourceＩＤとの対応関係を示すＥＩＴ（Event Information Table）情報と共に配信するＡＴＳＣ（Advanced Television Systems Committee）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて作成され、前記テレビ番組の放送チャンネルや番組情報等の番組案内から成るＥＰＧ（Electric Program Guide）画面を前記テレビモニタに表示させるＥＰＧ画面表示機能手段と、視聴するテレビ番組を選択して前記テレビモニタへ表示させるための操作、及び前記ＥＰＧ画面を前記テレビモニタへ表示させるための操作を行う操作手段とを具備するＥＰＧ画面表示機能を備えたデジタル／アナログ放送受像機において、
前記チャンネルに対応した複数の記憶エリアを有し、前記SourceＩＤが前記記憶エリアに割当てられ、前記番組情報が前記チャンネルに対応させて前記記憶エリアに記憶されるチャンネルマップと、
前記テレビ番組の映像信号を前記テレビモニタに出力中に、前記デコーダから前記ＥＩＴ情報及びＶＣＴ情報を取得し、これらのＥＩＴ情報及びＶＣＴ情報を基に、前記チャンネルマップを更新するチャンネルマップ更新手段とを備え、
前記ＥＰＧ画面表示機能手段は、前記操作手段により前記ＥＰＧ画面を前記テレビモニタへ表示させるための操作が行われたとき、前記チャンネルマップに記憶されている情報に基づいて、ＥＰＧ（Electric Program Guide）画面を作成して、前記テレビモニタに表示させるものであり、
前記チャンネルマップ更新手段は、
前記ＥＩＴ情報から得られたSourceＩＤが前記ＶＣＴ情報からも得られた場合、そのSourceＩＤが前記何れの記憶エリアにも割当てられていなければ、そのSourceＩＤを、ＶＣＴ情報から得られたチャンネルに対応する前記記憶エリアに割当て、そのSourceＩＤが前記ＶＣＴ情報から得られたチャンネルに対応しない前記記憶エリアに割当てられている場合には、そのSourceＩＤを、ＶＣＴ情報から得られたチャンネルに対応する前記記憶エリアに割当て直し、
前記ＥＩＴ情報から得られたSourceＩＤが前記ＶＣＴ情報から得られない場合、そのSourceＩＤが前記何れの記憶エリアにも割当てられていなければ、そのSourceＩＤを、何れのSourceＩＤも割当てられていない最小のチャンネルの記憶エリアへ割当て、
前記ＥＩＴ情報から得られる番組情報を、その番組情報に対応しているSourceＩＤが割当てられた前記記憶エリアに記憶させることを特徴とするＥＰＧ画面表示機能を備えたデジタル／アナログ放送受像機。
【請求項２】
複数のテレビ番組の映像情報を、これらのテレビ番組を放送するチャンネルとこれらのチャンネルに固有に付与されるSourceＩＤとの対応関係を示すＶＣＴ（Virtual Channel Table）情報、及び前記テレビ番組毎の番組情報と前記SourceＩＤとの対応関係を示すＥＩＴ（Event Information Table）情報と共に配信するＡＴＳＣ（Advanced Television Systems Committee）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて作成され、前記テレビ番組の放送チャンネルや番組情報等の番組案内から成るＥＰＧ（Electric Program Guide）画面を前記テレビモニタに表示させるＥＰＧ画面表示機能手段と、視聴するテレビ番組を選択して前記テレビモニタへ表示させるための操作、及び前記ＥＰＧ画面を前記テレビモニタへ表示させるための操作を行う操作手段とを具備するＥＰＧ画面表示機能を備えたデジタル／アナログ放送受像機において、
前記チャンネルに対応した複数の記憶エリアを有し、前記番組情報が前記チャンネルに対応させて前記記憶エリアに記憶されるチャンネルマップと、
前記テレビ番組の映像信号を前記テレビモニタに出力中に、前記デコーダから前記ＥＩＴ情報及びＶＣＴ情報を取得し、これらのＥＩＴ情報及びＶＣＴ情報を基に、前記チャンネルマップを更新するチャンネルマップ更新手段とを備え、
前記ＥＰＧ画面表示機能手段は、前記操作手段により前記ＥＰＧ画面を前記テレビモニタへ表示させるための操作が行われたとき、前記チャンネルマップに記憶されている情報に基づいて、ＥＰＧ（Electric Program Guide）画面を作成して、前記テレビモニタに表示させることを特徴とするＥＰＧ画面表示機能を備えたデジタル／アナログ放送受像機。
【請求項３】
前記チャンネルマップ更新手段は、前記ＥＩＴ情報及びＶＣＴ情報を基に、前記SourceＩＤを前記記憶エリアに割当て、前記ＥＩＴ情報から得られる番組情報をその番組情報に対応しているSourceＩＤが割当てられた前記記憶エリアに記憶させることを特徴とする請求項２に記載のＥＰＧ画面表示機能を備えたデジタル／アナログ放送受像機。
【発明の詳細な説明】
【０００１】
【発明の属する技術分野】
本発明は、テレビ放送信号中に含まれて配信される電子番組情報を取得し、テレビ番組の放送チャンネルや番組情報等の番組案内から成るＥＰＧ（Electric Program Guide）画面をテレビモニタに表示させるＥＰＧ画面表示機能を備えたデジタル／アナログ放送受像機に関するものである。
【０００２】
【従来の技術】
近年、デジタル技術の発達により、デジタルテレビ放送が配信され、急速に普及しつつある。デジタルテレビ放送では、放送局から、１つの周波数帯域において、複数のテレビ番組が配信される。これは、複数のテレビ番組の映像や音声をデジタル圧縮技術により圧縮符号化した後、時分割多重化し、その信号を所定周波数帯域の高周波電波に変調し、その信号をテレビ放送信号として配信することで行われる。また、デジタルテレビ放送では、放送番組やその放送チャンネル等の電子番組情報を、所定時間毎にテレビ番組の映像や音声と共に時分割多重化して配信している。デジタルテレビ放送では、複数のテレビ番組の放送信号を多重化した所定周波数帯域のテレビ放送信号を物理チャンネルと呼び、その周波数帯域に多重化される個々のテレビ番組の放送信号をサブチャンネルと呼んでいる。
【０００３】
一方、デジタルテレビ放送を受信する放送受像機では、リモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声、電子番組情報等の信号が時分割多重化された状態の信号を得る。この信号は、トランスポートストリーム信号と呼ばれる。
【０００４】
そして、放送受像機では、このトランスポートストリーム信号からサブチャンネルに対応するテレビ放送の映像信号や音声信号を分離抽出し、その映像信号や音声信号を圧縮符号化される前の状態に復号してテレビモニタへ出力するようになっている。また、トランスポートストリーム信号から電子番組情報を抽出し、テレビ番組名、放送チャンネル、及び放送時間等から構成されるＥＰＧ（Electric Program Guide）と呼ばれる電子番組案内を作成して、テレビモニタに表示する機能を有している。このＥＰＧのテレビモニタへの表示は、リモコン等を操作することにより行われるようになっている。
【０００５】
このようなデジタルテレビ放送は、北米においては、ＡＴＳＣ（Advanced Television Systems Committee）と呼ばれる放送が配信されている。ＡＴＳＣ放送は、各々の物理チャンネルにおいて、その物理チャンネルで放送中の複数のテレビ番組の映像及や音声と共に、ＰＳＩＰ（Program and System Information Protocol）と呼ばれるテレビ放送に関する様々なデータを含んだ情報を多重化して配信している。ＰＳＩＰは、さらに、ＶＣＴ（Virtual Channel Table）及びＥＩＴ（Event Information Table）と呼ばれる電子番組情報を含んでいる。
【０００６】
ＶＣＴは、現在放送中のテレビ番組に関して、テレビ番組を放送しているチャンネル番号の情報と、サブチャンネルと１対１に関連付けされる含SourceＩＤとを含んでおり、現在放送中の個々のテレビ番組におけるチャンネル番号とSourceＩＤとの対応関係を示す情報である。ＥＩＴは、現在放送中及び今後放送予定のテレビ番組に関して、番組名、番組の放送開始及び終了時間等の番組情報と、SourceＩＤとを含んでおり、現在放送中及び今後放送予定の個々のテレビ番組における番組情報とSourceＩＤとの対応関係を示す情報である。
【０００７】
従来のＡＴＳＣ放送を受信する放送受像機においては、リモコン等により、ＥＰＧ画面の表示操作を行うと、例えば図１０に示すようなＥＰＧ画面７０が表示される。ＥＰＧ画面７０では、複数のチャンネルグリッド７１の各々にテレビ番組の放送チャンネルが表示され、各チャンネルグリッド７１の横に配置された複数の番組グリッド７２にそのチャンネルで放送されるテレビ番組名が表示される。また、番組グリッド７２の上には、テレビ番組の放送時間が表示される。このように、ＥＰＧ画面７０では、テレビ番組がその放送チャンネル及び放送時間に対応付けて表示される。
【０００８】
ＥＰＧ画面７０は、リモコン等を操作して上下方向にスクロールすることにより、他のチャンネルについての表示を行うことができる。図示のものは、チャンネル「３４−１」からチャンネル「５０−２」までを表示した例を示している。また、リモコン等を操作して、ＥＰＧ画面７０上のチャンネルグリッド７１を選択すると、そのチャンネルのテレビ放送が選局され、そのチャンネルで放送されているテレビ番組の映像が表示される。また、ＥＰＧ画面７０上のＥＸＩＴグリッド７６を選択すると、ＥＰＧ画面７０が閉じる。
【０００９】
このようなＥＰＧ画面７０を表示するためには、各テレビ番組の番組名や放送時間を、その放送チャンネルと対応付ける必要がある。上述のように、ＥＩＴは、番組名や番組の放送開始及び終了時間等の番組情報とSourceＩＤとを含んでいるが、テレビ番組が放送されるチャンネルの情報を含んでおらず、一方、ＶＣＴは、テレビ番組が放送されているチャンネルの情報とそのSourceＩＤを含んでいるが、番組名や番組の放送開始及び終了時間等の番組情報を含んでいない。このため、テレビ番組の番組名や放送時間とその放送チャンネルとの対応付けは、ＥＩＴとＶＣＴの双方に含まれるSourceＩＤを基に行っている。
【００１０】
一方、デジタル放送の番組情報表示装置に関し、チャンネル情報を含むテーブルとイベント情報を含むテーブルを取得し、その時間に応じたチャンネルリストを利用者に提供するものが知られている（例えば、特開２００１−８６４２５号公報参照）。また、デジタル放送のＥＰＧにおけるローカルイベントを表示する装置に関し、ローカルイベントの詳細情報を表示可能とすると共に、プログラムデータの蓄積や転送ができるようにしたものが知られている（例えば、特開２００１−１３６４９５号公報参照）。
【００１１】
【発明が解決しようとする課題】
ところが、上述した従来の放送受像機では、ＥＰＧ画面の表示操作が行われてから、全ての物理チャンネルの放送信号を順次に選局して受信し、各物理チャンネルの放送信号に含まれるＶＣＴとＥＩＴを取得し、ＥＩＴとＶＣＴの双方に含まれるSourceＩＤを基に、テレビ番組の番組名や放送時間とその放送チャンネルの対応付けを行っていた。このため、ＥＰＧ画面の表示操作が行われてから、ＥＰＧ画面に全ての物理チャンネルについての番組情報が表示され、ＥＰＧ画面の表示が完了するまでに時間が掛かっていた。
【００１２】
また、一旦ＥＰＧ画面の表示操作を行うと、ＥＰＧ画面の表示が完了するまで、チャンネル選局等の次の操作を行うことができないため、ユーザは、ＥＰＧ画面の表示が完了するまでの間、待っているしかなく、ユーザに苛立ちや不快感をもたらす可能性があった。なお、上述した特開２００１−８６４２５号公報、及び特開２００１−１３６４９５号公報に記載の内容を適用したとしても、上述の課題を解決することはできない。
【００１３】
本発明は、上記課題を解決するためになされたものであり、ＥＰＧ画面の表示操作に応じてＥＰＧ画面が素早く表示され、すぐに番組情報を見ることができると共に、すぐにチャンネル選局等の次の操作を行うことができるデジタル／アナログ放送受像機を提供することを目的とする。
【００１４】
【課題を解決するための手段】
上記目的を達成するために請求項１の発明は、複数のテレビ番組の映像情報を、これらのテレビ番組を放送するチャンネルとこれらのチャンネルに固有に付与されるSourceＩＤとの対応関係を示すＶＣＴ（Virtual Channel Table）情報、及び前記テレビ番組毎の番組情報と前記SourceＩＤとの対応関係を示すＥＩＴ（Event Information Table）情報と共に配信するＡＴＳＣ（Advanced Television Systems Committee）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて作成され、前記テレビ番組の放送チャンネルや番組情報等の番組案内から成るＥＰＧ（Electric Program Guide）画面を前記テレビモニタに表示させるＥＰＧ画面表示機能手段と、視聴するテレビ番組を選択して前記テレビモニタへ表示させるための操作、及び前記ＥＰＧ画面を前記テレビモニタへ表示させるための操作を行う操作手段とを具備するＥＰＧ画面表示機能を備えたデジタル／アナログ放送受像機において、前記チャンネルに対応した複数の記憶エリアを有し、前記SourceＩＤが前記記憶エリアに割当てられ、前記番組情報が前記チャンネルに対応させて前記記憶エリアに記憶されるチャンネルマップと、前記テレビ番組の映像信号を前記テレビモニタに出力中に、前記デコーダから前記ＥＩＴ情報及びＶＣＴ情報を取得し、これらのＥＩＴ情報及びＶＣＴ情報を基に、前記チャンネルマップを更新するチャンネルマップ更新手段とを備え、前記ＥＰＧ画面表示機能手段は、前記操作手段により前記ＥＰＧ画面を前記テレビモニタへ表示させるための操作が行われたとき、前記チャンネルマップに記憶されている情報に基づいて、ＥＰＧ（Electric Program Guide）画面を作成して、前記テレビモニタに表示させるものであり、前記チャンネルマップ更新手段は、前記ＥＩＴ情報から得られたSourceＩＤが前記ＶＣＴ情報からも得られた場合、そのSourceＩＤが前記何れの記憶エリアにも割当てられていなければ、そのSourceＩＤを、ＶＣＴ情報から得られたチャンネルに対応する前記記憶エリアに割当て、そのSourceＩＤが前記ＶＣＴ情報から得られたチャンネルに対応しない前記記憶エリアに関連付けられている場合には、そのSourceＩＤを、ＶＣＴ情報から得られたチャンネルに対応する前記記憶エリアに割当て直し、前記ＥＩＴ情報から得られたSourceＩＤが前記ＶＣＴ情報から得られない場合、そのSourceＩＤが前記何れの記憶エリアにも割当てられていなければ、そのSourceＩＤを、何れのSourceＩＤも割当てられていない最小のチャンネルの記憶エリアへ割当て、前記ＥＩＴ情報から得られる番組情報を、その番組情報に対応しているSourceＩＤが割当てられた前記記憶エリアに記憶させるものである。
【００１５】
この構成においては、放送局から配信されるＥＩＴ情報から得た番組情報がその放送チャンネルに対応してチャンネルマップに記憶され、ＥＰＧ画面の表示操作が行われると、チャンネルマップに記憶されている番組情報に基づいて、ＥＰＧ画面がテレビモニタに表示される。このため、ＥＰＧ画面の表示操作が行われた後、各チャンネルの放送信号を順次に選局して各チャンネルのＥＣＴ情報及びＶＣＴ情報を取得する必要がなく、素早くＥＰＧ画面が表示される。また、チャンネルマップに記憶される番組情報は、テレビ番組の映像信号をテレビモニタに出力中すなわちテレビモニタにてテレビ番組を視聴中に、最新のＥＩＴ情報及びＶＣＴ情報が取得されることにより更新されてゆくため、ＥＰＧ画面は常に最新の情報によるものが表示される。また、SourceＩＤをチャンネルマップの記憶エリアに割当てることにより、ＶＣＴ情報が得られずＥＩＴ情報のみが得られるテレビ番組の番組情報についても、対応するチャンネルの記憶エリアに記憶されるため、ＥＰＧ画面には、ＶＣＴ情報が得られずＥＩＴ情報のみが得られる今後放送予定の多くのテレビ番組の番組情報についても表示される。
【００１６】
また、請求項２の発明は、複数のテレビ番組の映像情報を、これらのテレビ番組を放送するチャンネルとこれらのチャンネルに固有に付与されるSourceＩＤとの対応関係を示すＶＣＴ（Virtual Channel Table）情報、及び前記テレビ番組毎の番組情報と前記SourceＩＤとの対応関係を示すＥＩＴ（Event Information Table）情報と共に配信するＡＴＳＣ（Advanced Television Systems Committee）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて作成され、前記テレビ番組の放送チャンネルや番組情報等の番組案内から成るＥＰＧ（Electric Program Guide）画面を前記テレビモニタに表示させるＥＰＧ画面表示機能手段と、視聴するテレビ番組を選択して前記テレビモニタへ表示させるための操作、及び前記ＥＰＧ画面を前記テレビモニタへ表示させるための操作を行う操作手段とを具備するＥＰＧ画面表示機能を備えたデジタル／アナログ放送受像機において、前記チャンネルに対応した複数の記憶エリアを有し、前記番組情報が前記チャンネルに対応させて前記記憶エリアに記憶されるチャンネルマップと、前記テレビ番組の映像信号を前記テレビモニタに出力中に、前記デコーダから前記ＥＩＴ情報及びＶＣＴ情報を取得し、これらのＥＩＴ情報及びＶＣＴ情報を基に、前記チャンネルマップを更新するチャンネルマップ更新手段とを備え、前記ＥＰＧ画面表示機能手段は、前記操作手段により前記ＥＰＧ画面を前記テレビモニタへ表示させるための操作が行われたとき、前記チャンネルマップに記憶されている情報に基づいて、ＥＰＧ（Electric Program Guide）画面を作成して、前記テレビモニタに表示させるものである。
【００１７】
この構成においては、放送局から配信されるＥＩＴ情報から得た番組情報がその放送チャンネルに対応してチャンネルマップに記憶され、ＥＰＧ画面の表示操作が行われると、チャンネルマップに記憶されている番組情報に基づいて、ＥＰＧ画面がテレビモニタに表示される。このため、ＥＰＧ画面の表示操作が行われた後、各チャンネルの放送信号を順次に選局して各チャンネルのＥＣＴ情報及びＶＣＴ情報を取得する必要がなく、素早くＥＰＧ画面が表示される。また、チャンネルマップに記憶される番組情報は、テレビ番組の映像信号をテレビモニタに出力中すなわちテレビモニタにてテレビ番組を視聴中に、最新のＥＩＴ情報及びＶＣＴ情報が取得されることにより更新されてゆく。このため、ＥＰＧ画面の表示操作を行うと、常に最新の情報によるＥＰＧ画面が表示される。
【００１９】
また、請求項３の発明は、請求項２に記載のデジタル／アナログ放送受像機において、チャンネルマップ更新手段は、ＥＩＴ情報及びＶＣＴ情報を基に、SourceＩＤを記憶エリアに割当て、ＥＩＴ情報から得られる番組情報をその番組情報に対応しているSourceＩＤが割当てられた記憶エリアに記憶させるものである。この構成においては、SourceＩＤをチャンネルマップの記憶エリアに割当てることにより、ＶＣＴ情報が得られずＥＩＴ情報のみが得られるテレビ番組の番組情報についても、その番組情報は対応するチャンネルの記憶エリアに記憶される。このため、ＥＰＧ画面には、ＶＣＴ情報が得られずＥＩＴ情報のみが得られる今後放送予定の多くのテレビ番組の番組情報についても表示される。
【００２０】
【発明の実施の形態】
以下、本発明を具体化した実施形態について図面を参照して説明する。まず、本実施形態によるデジタル／アナログ放送受像機の電気的ブロック構成を図１に示す。デジタル／アナログ放送受像機（ＳＴＢ）１には、放送局から所定周波数の高周波電波で発信されるテレビ放送信号を受信するためのアンテナ２０と、テレビ放送の映像を映し出すと共に音声を出力するためのテレビモニタ３０が接続される。
【００２１】
放送受信機１は、放送局から配信されるＡＴＳＣ放送信号やその他のアナログ放送信号をアンテナ２０を介して受信し、それらのテレビ放送の映像及び音声を再生してテレビモニタ３０に出力する装置である。放送受信機１は、ＡＴＳＣ放送信号に含まれるＶＣＴとＥＩＴを基に、テレビ番組の番組名、放送チャンネル、放送時間等から成るＥＰＧと呼ばれる電子番組案内を作成して、テレビモニタ３０に表示する機能を有している。
【００２２】
放送受像機１は、リモコン（操作手段）２と、リモコン受信部３と、チューナ（受信手段）４と、デコーダ５と、ＯＳＤ回路６と、メモリ（チャンネルマップ）７と、制御部（ＥＰＧ画面表示機能手段、チャンネルマップ更新手段）８とから構成されている。
【００２３】
リモコン２は、視聴するテレビ番組のチャンネル選局、ＥＰＧ画面の表示等を行うときにユーザにより操作され、操作に応じた赤外線信号等の無線信号を送出する。リモコン受信部３は、リモコン２から送出された信号を受信し、制御部へ出力する。チューナ４は、その受信周波数をリモコン２で選局操作されたチャンネル（ＡＴＳＣ放送においては物理チャンネル）に対応する周波数に同調させることにより、選局操作されたチャンネルのテレビ放送信号をアンテナ２０を介して受信する。
【００２４】
デコーダ５は、リモコン２によりＡＴＳＣ放送のチャンネルが選局された場合、チューナ４で受信した受信信号を復調して、デジタル圧縮符号化された複数のテレビ番組の映像と音声、及び電子番組情報等の信号が時分割多重化された状態のトランスポートストリーム信号を生成する。そして、デコーダ５は、このトランスポートストリーム信号から、リモコン２で選局されたサブチャンネルのテレビ番組の映像信号と音声信号を分離抽出し、それらの信号をデジタル圧縮符号化される前の信号に復号再生し、テレビモニタ３０へ出力する。また、デコーダ５は、トランスポートストリーム信号から、電子番組情報であるＶＣＴ情報とＥＩＴ情報を抽出し、制御部８へ出力する。
【００２５】
また、デコーダ５は、リモコン２によりアナログ放送のチャンネルが選局された場合、チューナ４で受信した受信信号を復調して、リモコン２で選局操作されたチャンネルのテレビ番組の映像信号と音声信号を再生し、その映像信号と音声信号をテレビモニタ３０へ出力する。
【００２６】
ＯＳＤ回路６は、デコーダ５から出力される映像信号にチャンネル番号やＥＰＧ画面等の所定のオンスクリーン表示データを重畳する。これにより、テレビモニタ３０には、テレビ番組の映像にオンスクリーン表示データによる画像が重ねて表示される。
【００２７】
メモリ７は、ＡＴＳＣ放送のテレビ番組の番組名や放送時間等の番組情報を、そのテレビ番組の放送チャンネルと対応付けて保存しておくためのチャンネルマップを記憶する。メモリ７はＥＥＰＲＯＭから成っており、メモリ７に記憶されるチャンネルマップは、電源遮断時においても保存され、電源起動後から利用できる。
【００２８】
メモリ７に記憶されるチャンネルマップは、図２に示すように、SourceＩＤテーブル４１と、仮想ＣＨテーブル４２と、ＡＴＳＣ登録テーブル４３とから構成されている。SourceＩＤテーブル４１は、図中「２」から「６９」の数字で示される物理チャンネルと図中「１」から「９９」で示されるサブチャンネルに対応した複数の記憶エリア４５を有している。SourceＩＤテーブル４１の各記憶エリア４５には、電子番組情報であるＥＩＴ及びＶＣＴから得られるSourceＩＤが割当てられ、また、そのSourceＩＤが得られるＥＩＴの番組情報が記憶される。図示の例では、チャンネル「３−２」（物理チャンネル「３」−サブチャンネル「２」）の記憶エリア４５にSourceＩＤ「Ｅ」が割当てられており、この記憶エリア４５には、SourceＩＤ「Ｅ」が得られるＥＩＴの番組情報が記憶される。他の記憶エリア４５についても同様である。
【００２９】
なお、放送受信機１の出荷時等の初期状態においては、SourceＩＤテーブル４１の各記憶エリア４５には、SourceＩＤが割当てられておらず、番組情報も記憶されていない。また、仮想ＣＨテーブル４２には、各物理チャンネルに対応して、ユーザが認識し使用するための仮想チャンネル番号が記憶されており、ＡＴＳＣ登録テーブル４３には、ＡＴＳＣ放送が実際に放送されている物理チャンネルに対してフラグが立てられている。
【００３０】
制御部８は、リモコン２によりＡＴＳＣ放送のチャンネルが選局されると、リモコン受信部３からの信号を受けて、チューナ４に対して選局された物理チャンネルのテレビ放送信号を受信させると共に、デコーダ５に対して選局されたサブチャンネルの映像信号と音声信号を分離抽出して復号再生させる。また、制御部８は、デコーダ５により抽出されたＥＩＴ及びＶＣＴを解析し、ＥＩＴから得られたSourceＩＤをチャンネルに対応させてチャンネルマップに割当てると共に、ＥＩＴから得た番組情報をチャンネルに対応させてチャンネルマップに記憶させる。制御部８は、これらSourceＩＤの割当て及び番組情報の記憶をＡＴＳＣ放送の受信中に実行し、これによりメモリ７に記憶されるチャンネルマップを更新する。
【００３１】
また、制御部８は、リモコン２によりアナログ放送のチャンネルが選局されると、リモコン受信部３からの信号を受けて、チューナ４に対して選局されたチャンネルのテレビ放送信号を受信させると共に、デコーダ５に対して映像信号と音声信号を復調再生させる。また、制御部８は、リモコン２によりＥＰＧ画面の表示操作が行われると、リモコン受信部３からの信号を受けて、メモリ７に記憶されているチャンネルマップの番組情報を基に、ＥＰＧ画面の表示画像を作成し、その画像信号をＯＳＤ回路６へ入力する。これにより、ＥＰＧ画面がテレビモニタ３０に表示される。
【００３２】
次に、上記チャンネルマップへのSourceＩＤの割当て方法について、図３乃至図７に示す具体例と共に説明する。チャンネルマップへのSourceＩＤの割当ては、以下の２つのルールに基づいて、SourceＩＤをSourceＩＤテーブル４１の各記憶エリア４５へ割当てることで行われる。▲１▼ＥＩＴから得られるSourceＩＤがＶＣＴからも得られる場合、そのSourceＩＤを、ＶＣＴによりそのSourceＩＤに対応づけられているチャンネルに対応する記憶エリア４５に割当てる。▲２▼ＥＩＴから得られるSourceＩＤがＶＣＴからも得られない場合、そのSourceＩＤが何れの記憶エリア４５にも割当てられていなければ、そのSourceＩＤを、何れのSourceＩＤも割当てられていない最小のチャンネルに対応する記憶エリア４５へ割当てる。
【００３３】
例えば、図３（ａ）に示すように、仮想チャンネル「１０」（物理チャンネル「６」）に対応するSourceＩＤテーブル４１−６の各記憶エリア４５には、まだSourceＩＤが割当てられていないとする。このとき、物理チャンネル「６」のＡＴＳＣ放送の受信中のある時点において、図４に示すように、ＥＩＴ５０−１乃至５０−８の８個のＥＩＴが得られたとする。これら８個のＥＩＴ５０−１乃至５０−８には、それぞれ異なるテレビ番組の番組情報（番組名、放送時間等）が記述されている。そして、ＥＩＴ５０−１とＥＩＴ５０−２は、現在放送中の番組に対する番組情報であったとする。また、ＥＩＴ５０−１、５０−３、５０−５、及び５０−７にはSourceＩＤ「Ａ」が記述され、ＥＩＴ５０−２と５０−４にはSourceＩＤ「Ｂ」が記述され、ＥＩＴ５０−６にはSourceＩＤ「Ｄ」が記述され、ＥＩＴ５０−８にはSourceＩＤ「Ｃ」が記述されていたとする。
【００３４】
また、それと同じ時点で、図５に示すように、ＶＣＴ６０−１と６０−２の２個のＶＣＴが得られたとする。そして、ＶＣＴ６０−１には、チャンネル「１０−１」（仮想チャンネル「１０」−サブチャンネル「１」）がSourceＩＤ「Ａ」に対応していることが記述されており、ＶＣＴ６０−２には、チャンネル「１０−２」（仮想チャンネル「１０」−サブチャンネル「２」）がSourceＩＤ「Ｂ」に対応していることが記述されていたとする。
【００３５】
この場合、ＥＩＴから得られるSourceＩＤ「Ａ」と「Ｂ」は、ＶＣＴからも得られ、SourceＩＤ「Ａ」はチャンネル「１０−１」に対応し、また、SourceＩＤ「Ｂ」はチャンネル「１０−２」に対応している。そして、SourceＩＤ「Ａ」と「Ｂ」は、まだ、記憶エリア４５に割当てられていない。従って、図３（ｂ）に示すように、SourceＩＤ「Ａ」をチャンネル「１０−１」に対応する記憶エリア４５に割当て、SourceＩＤ「Ｂ」をチャンネル「１０−２」に対応する記憶エリア４５に割当てる。
【００３６】
また、ＥＩＴから得られるSourceＩＤ「Ｃ」と「Ｄ」は、ＶＣＴからは得られず、また、SourceＩＤテーブル４１−６の何れの記憶エリア４５にも割当てられていない。従って、SourceＩＤ「Ｃ」と「Ｄ」を、それぞれ、何れのSourceＩＤも割当てられていない最小のチャンネル「１０−３」と「１０−４」に対応するSourceＩＤテーブル４１−６の記憶エリア４５へ割当てる。但し、番組の放送開始時間が早い順に、最小のチャンネルに対応する記憶エリア４５へ割当てる。今の場合、図３（ｃ）に示すように、SourceＩＤ「Ｄ」をチャンネル「１０−３」に対応する記憶エリア４５に割当て、SourceＩＤ「Ｃ」をチャンネル「１０−４」に対応する記憶エリア４５に割当てる。なお、SourceＩＤを数値で表した場合に、その数値が小さい順に、最小のチャンネルに対応する記憶エリア４５へ割当ててもよい。
【００３７】
その後、時間が経過し、別のある時点で、図６に示すように、ＥＩＴ５０−５乃至５０−１２の９個のＥＩＴが得られ、ＥＩＴ５０−５、５０−７、５０−９、及び５０−１２にはSourceＩＤ「Ａ」が、ＥＩＴ５０−６にはSourceＩＤ「Ｄ」が、ＥＩＴ５０−８と５０−１１にはSourceＩＤ「Ｃ」が、ＥＩＴ５０−１０と５０−１３には、SourceＩＤ「Ｂ」がそれぞれ記述されていたとする。また、それと同じ時点で、図７に示すように、ＶＣＴ６０−１と６０−３の２個のＶＣＴが得られ、ＶＣＴ６０−１には、チャンネル「１０−１」がSourceＩＤ「Ａ」に対応していることが記述されており、ＶＣＴ６０−３には、チャンネル「１０−４」（仮想チャンネル「１０」−サブチャンネル「４」）がSourceＩＤ「Ｄ」に対応していることが記述されていたとする。
【００３８】
この場合、ＥＩＴから得られるSourceＩＤ「Ａ」は、ＶＣＴからも得られ、チャンネル「１０−１」に対応しており、既に、チャンネル「１０−１」に対応する記憶エリア４５に割当てられている。また、ＥＩＴから得られるSourceＩＤ「Ｂ」は、ＶＣＴからは得られないが、既にSourceＩＤテーブル４１−６の記憶エリア４５に割当てられている。また、ＥＩＴから得られるSourceＩＤ「Ｃ」は、ＶＣＴからは得られないが既にSourceＩＤテーブル４１−６の記憶エリア４５に割当てられている。
【００３９】
また、ＥＩＴから得られるSourceＩＤ「Ｄ」は、ＶＣＴからも得られ、チャンネル「１０−４」に対応している。このとき、SourceＩＤ「Ｄ」は、既にチャンネル「１０−３」に対応する記憶エリア４５に割当てられているが、ＶＣＴによるSourceＩＤ「Ｄ」とチャンネル「１０−４」との対応を優先し、図３（ｄ）に示すように、SourceＩＤ「Ｄ」をチャンネル「１０−４」に対応する記憶エリア４５に割当て直し、チャンネル「１０−３」に対応する記録エリア４５のSourceＩＤの割当てを削除する。また、このとき、チャンネル「１０−４」に対応する記憶エリア４５には、既に、SourceＩＤ「Ｃ」が割当てられていたので、図３（ｅ）に示すように、SourceＩＤ「Ｃ」を、何れのSourceＩＤも割当てられていない最小のチャンネル「１０−３」に対応する記憶エリア４５へ割当て直す。
【００４０】
このように、チャンネルマップへのSourceＩＤの割当ては、放送局から配信されるＥＩＴ及びＶＣＴに基づいて行う。なお、上記では仮想チャンネル「１０」の場合について説明したが、他のチャンネルについても同様である。SourceＩＤの割当ては、ＡＴＳＣ放送の受信中（テレビ番組やＥＰＧ画面をテレビモニタ３０に表示中、チャンネルの選局動作中）において、常時に実行される。
【００４１】
次に、本実施形態によるデジタル／アナログ放送受像機１の動作について、図８及び図９のフローチャートを参照して説明する。まず、放送受信機１は、ＡＴＳＣ放送の受信中に、放送信号中から得られたＥＩＴ及びＶＣＴを参照し（＃１）、ＥＩＴ及びＶＣＴが更新されているか判断する（＃２）。ＥＩＴ及びＶＣＴが更新されていれば（＃２でＹＥＳ）、放送信号中から得られた複数のＥＩＴの各々に対して、ＥＩＴから得たSourceＩＤをＶＣＴからも得たか判断する（＃３）。
【００４２】
ＥＩＴから得たSourceＩＤをＶＣＴからも得た場合（＃３でＹＥＳ）、そのSourceＩＤがSourceＩＤテーブル４１の何れかの記憶エリア４５に割当てられていれば（＃４でＹＥＳ）、さらに、その記憶エリア４５のチャンネルが、ＶＣＴによりそのSourceＩＤに対応付けられているチャンネルと同じであるか判断する（＃５）。
【００４３】
そして、SourceＩＤが割当てられている記憶エリア４５のチャンネルが、ＶＣＴによりそのSourceＩＤに対応付けられているチャンネルと同じであれば（＃５でＹＥＳ）、そのSourceＩＤの割当ては既に完了しており、ＥＩＴから得た番組情報を、そのSourceＩＤが割当てられている記憶エリア４５に記憶する（＃６）。
【００４４】
また、SourceＩＤが割当てられている記憶エリア４５のチャンネルが、ＶＣＴによりそのSourceＩＤに対応付けられているチャンネルと異なっていれば（＃５でＮＯ）、ＥＩＴから得たSourceＩＤを、ＶＣＴによりそのSourceＩＤに対応付けられているチャンネルに対応する記憶エリア４５に割当て直す（＃７）。そして、その記憶エリア４５に元々割当てられていたSourceＩＤを、何れのSourceＩＤも割当てられていない最小のチャンネルの記憶エリア４５へ割当て直した後（＃８）、ＥＩＴから得た番組情報を、そのSourceＩＤが割当てられた記憶エリア４５に記憶する（＃６）。
【００４５】
また、上記＃４において、ＥＩＴから得たSourceＩＤがSourceＩＤテーブル４１の何れの記憶エリア４５にも割当てられていなければ（＃４でＮＯ）、ＥＩＴから得たSourceＩＤを、ＶＣＴによりそのSourceＩＤに対応付けられているチャンネルに対応する記憶エリア４５に割当てた後（＃９）、ＥＩＴから得た番組情報を、そのSourceＩＤが割当てられた記憶エリア４５に記憶する（＃６）。
【００４６】
また、上記３において、ＥＩＴから得たSourceＩＤがＶＣＴから得られなかった場合（＃３でＮＯ）、そのSourceＩＤがSourceＩＤテーブル４１の何れかの記憶エリア４５に割当てられているか判断する（＃１０）。そして、そのSourceＩＤが既に何れかの記憶エリア４５に割当てられていれば（＃１０でＹＥＳ）、その割当てを維持し、ＥＩＴから得た番組情報を、そのSourceＩＤが割当てられている記憶エリア４５に記憶する（＃６）。また、そのSourceＩＤが何れの記憶エリア４５にも割当てられていなければ（＃１０でＮＯ）、ＥＩＴから得たSourceＩＤを、何れのSourceＩＤも割当てられていない最小のチャンネルの記憶エリア４５へ割当てた後（＃１１）、ＥＩＴから得た番組情報を、そのSourceＩＤが割当てられた記憶エリア４５に記憶する（＃６）。
【００４７】
そして、放送信号中から得られた全てのＥＩＴについて処理を終えていなければ（＃１２でＮＯ）、次のＥＩＴについて、上記＃３からの処理を繰り返す。また、全てのＥＩＴについて処理を終えると（＃１２でＹＥＳ）、ＡＴＳＣ放送を受信している間、上記＃１の処理を繰り返す。
【００４８】
上記構成のデジタル／アナログ放送受像機１によれば、ＡＴＳＣ放送の受信中（テレビ番組やＥＰＧ画面をテレビモニタ３０に表示中、チャンネルの選局動作中）に、ＡＴＳＣ放送信号に含まれるＥＩＴから得られる番組情報が、番組の放送チャンネルに対応付けられてチャンネルマップに記憶され、更新されてゆく。また、チャンネルマップには、チャンネルに対応付けられるSourceＩＤが割当てられ、ＥＩＴから得られる番組情報は、ＥＩＴから得られるSourceＩＤに基づいてチャンネルに対応付けられてチャンネルマップに記憶される。ＥＰＧ画面の表示操作が行われると、これらチャンネルマップに記憶されている番組情報を基にＥＰＧ画面の表示画像が作成され、ＥＰＧ画面がテレビモニタ３０に表示される。
【００４９】
【発明の効果】
以上説明したように請求項１の発明によれば、ユーザがＥＰＧ画面の表示操作を行うと、素早くＥＰＧ画面が表示されるため、ユーザは、すぐに番組情報を見ることができると共に、すぐにチャンネル選局等の次の操作を行うことができ、便利である。また、ユーザは、情報更新のための特別な操作をすることなく最新の番組情報をＥＰＧ画面で見ることができると共に、今後放送予定の多くのテレビ番組の番組情報をＥＰＧ画面で見ることができ、便利である。
【００５０】
請求項２の発明によれば、ユーザがＥＰＧ画面の表示操作を行うと、素早くＥＰＧ画面が表示されるため、ユーザは、すぐに番組情報を見ることができると共に、すぐにチャンネル選局等の次の操作を行うことができ、便利である。また、ユーザは、情報更新のための特別な操作をすることなく、最新の番組情報をＥＰＧ画面で見ることができ、便利である。
【００５２】
請求項３の発明によれば、ユーザは、今後放送予定の多くのテレビ番組の番組情報をＥＰＧ画面で見ることができ、便利である。
【図面の簡単な説明】
【図１】  本発明の一実施形態によるデジタル／アナログ放送受像機の概略構成を示す電気的ブロック構成図。
【図２】  同装置のチャンネルマップを説明する図。
【図３】  同装置のチャンネルマップへのSourceＩＤの割当ての具体例を説明する図。
【図４】  同装置において受信したＥＩＴを説明する図。
【図５】  同装置において受信したＶＣＴを説明する図。
【図６】  同装置において受信したＥＩＴを説明する図。
【図７】  同装置において受信したＶＣＴを説明する図。
【図８】  同装置の動作を示したフローチャート。
【図９】  同装置の動作を示したフローチャート。
【図１０】  ＥＰＧ画面を表す図。
【符号の説明】
１  デジタル／アナログ放送受像機
２  リモコン（操作手段）
４  チューナ（受信手段）
５  デコーダ
７  メモリ（チャンネルマップ）
８  制御部（ＥＰＧ画面表示機能手段、チャンネルマップ更新手段）
３０  テレビモニタ
【図１】
0003918917.tif 000002
【図２】
0003918917.tif 000003
【図３】
0003918917.tif 000004
【図４】
0003918917.tif 000005
【図５】
0003918917.tif 000006
【図６】
0003918917.tif 000007
【図７】
0003918917.tif 000008
【図８】
0003918917.tif 000009
【図９】
0003918917.tif 000010
【図１０】
0003918917.tif 000011